(57)【要約】【課題】  天井及び壁部の両者に対して隙間が生じても、簡単に覆い隠して見映えを良好にでき、しかも簡単な作業で行って作業性の簡便化を図ること。【解決手段】  見切縁２０は、ベース部２１と、ベース部２１に連結片２３を介して連結された化粧板部２２とを備える。ベース部２１は、上壁部２１ａと縦壁部２１ｂと下壁部２１ｃとを有して断面コ字状に形成され、下壁部２１ｃと上壁部２１ａ間に天井を構成する板状部材と係合する。連結片２３は、可撓性を有し、ベース部２１の下壁部２１ｃの先端に延在して設けられる。化粧板部２２の途中位置にベース部２１に向かう突条２４が設けられ、突条２４と対応する位置に溝２５が設けられる。【選択図】  図２
2005273192.tif 000002
【特許請求の範囲】
【請求項１】
天井と壁部との隅部に、該隅部の延びる方向に向けて設けられる見切縁であって、
前記天井又は壁部に固定されるベース部と、該ベース部に可撓性を有する連結片を介して連結される化粧板部と、前記ベース部と前記化粧板部とを係合させる係合部とを備えてなり、
前記ベース部及び化粧板部は、非係合状態において、前記天井のうち前記ベース部の室内側の面に沿う端縁と、前記壁部のうち前記ベース部の室内側の面に沿う端縁とを開放させる一方、係合状態において、前記天井のうち前記ベース部の室内側の面に沿う端縁と前記壁部のうち前記ベース部の室内側の面に沿う端縁とを覆い隠す張出し縁部を有していることを特徴とする見切縁。
【請求項２】
請求項１記載の見切縁において、
前記ベース部は、断面コ字状に形成されていて、前記天井を構成する板状部材の端部と係合可能とされていることを特徴とする見切縁。
【請求項３】
請求項１又は２記載の見切縁において、
前記ベース部には、前記化粧板部と係合したとき、前記係合部と協働して前記化粧板部における連結片と反対側の前記張出し縁部を位置決めする凸部が設けられていることを特徴とする見切縁。
【請求項４】
請求項１から３のいずれか記載の見切縁において、
前記ベース部と前記化粧板部と前記連結片とは、合成樹脂により一体に形成されていることを特徴とする見切縁。
【請求項５】
請求項１から４のいずれか記載の見切縁において、
前記係合部は、前記ベース部と前記化粧板部とのいずれか一方に設けられた溝と、その他方に設けられた突条とからなることを特徴とする見切縁。
【発明の詳細な説明】
【技術分野】
【０００１】
この発明は、天井と壁部との間の隅部に設けられる見切縁に関する。
【背景技術】
【０００２】
建築構造物にあっては、例えば室内の天井と壁部との間に設けられる見切縁として、種々のものが提案されている（例えば、特許文献１参照）。
図４、図５は、従来の一構成例の見切縁の取り付け状態を示し、符号１は見切縁、２は野縁、３は壁部である。
図４において、野縁２の下面にはＭバー９が設けられ、Ｍバー９の下面には略コ字状の見切縁１が設けられ、見切縁１には板状部材からなる天井５が取り付けられ、天井５の下面に壁紙６が設けられると共に、壁部３にも壁紙７が設けられている。
壁紙６は、天井５に貼り付けられるとき、図４の鎖線に示されるように、見切縁１との境界部に沿うように端部が切断され、また、壁紙７の壁部３に貼り付けられるとき、見切縁１との境界部に沿い鎖線のように上端縁が切断される。
【特許文献１】実開昭５２−８７１２０号公報（第１頁、図１）
【発明の開示】
【発明が解決しようとする課題】
【０００３】
ところで、上記従来の技術においては、図５に示されるように、建築構造物の躯体であるスラブ、梁、柱等が変位すると、天井５又は壁部３が躯体の変位に追随することができず、天井５と壁部３との間が離間する場合があり、このような場合においては、天井５と壁部３との隙間から壁部３の表面が露出して、外観が損なわれ、見映えが悪くなるという問題があった。
また、建築構造物の躯体が変位した場合には、見切縁１に取り付けられた天井６が見切縁１からずれる場合があり、このような場合には、壁紙６の端部が見切縁１から離間して天井５の表面が露出して、外観が損なわれ、見映えが悪くなるという問題があった。
さらに、図４に示すように、天井５及び壁部３に取り付けられた壁紙６及び壁紙７の端縁が、接着剤の付着状態等によっては鎖線に示すような状態から実線のように剥がれることがあり、そのため、見切縁１と壁紙６、７との間に隙間が生じて、外観が損なわれ、見映えが悪くなるという問題があった。
このように、躯体が変位することにより壁部３や天井５の表面が露出する問題は、壁紙に限られず、壁部３や天井５に塗装が施された場合においても同様の問題が生じていた。
【０００４】
一方、特許文献１に記載されたものは、隅部材と押え部材との間に、壁紙の上端部が保持されると、壁紙と、見切縁としての壁紙取付装置間に隙間が発生しないことから問題ないものの、隅部材と、天井に設けられた天井材との間に隙間が発生するということについて配慮されていない。
【０００５】
この発明は、このような事情を考慮してなされたもので、天井及び壁部の両者に対して隙間が生じても、それらを簡単に覆い隠して見映えを良好にすることができ、しかも簡単な作業で行って作業性の簡便化を図ることができる見切縁を提供することを目的とする。
【課題を解決するための手段】
【０００６】
上記目的を達成するために、この発明は以下の手段を提案している。
請求項１に係る発明は、天井と壁部との隅部に、該隅部の延びる方向に向けて設けられる見切縁であって、前記天井又は壁部に固定されるベース部と、該ベース部に可撓性を有する連結片を介して連結される化粧板部と、前記ベース部と前記化粧板部とを係合させる係合部とを備えてなり、前記ベース部及び化粧板部は、非係合状態において、前記天井のうち前記ベース部の室内側の面に沿う端縁と、前記壁部のうち前記ベース部の室内側の面に沿う端縁とを開放させる一方、係合状態において、前記天井のうち前記ベース部の室内側の面に沿う端縁と前記壁部のうち前記ベース部の室内側の面に沿う端縁とを覆い隠す張出し縁部を有していることを特徴とする。
【０００７】
請求項１に記載された見切縁によれば、ベース部と化粧板部とが係合部により係合されると、化粧板部の張り出し縁部が、天井のうち前記ベース部の室内側の面に沿う端縁を覆い隠すと共に、壁部のうち前記ベース部の室内側の面に沿う端縁を覆い隠すことになる。
【０００８】
請求項２に係る発明は、請求項１記載の見切縁において、前記ベース部は、断面コ字状に形成されていて、前記天井を構成する板状部材の端部と係合可能とされていることを特徴とする。
【０００９】
請求項２に記載された見切縁によれば、板状部材がベース部に係合することで、ベース部が板状部材により支持されることになり、化粧板部をベース部に係合する際に、ベース部が撓むことが防止され、化粧板部とベース部との係合を容易且つ確実に行うことができ、さらに、化粧板部の張り出し縁部が、天井のうち前記ベース部の室内側の面に沿う端縁を覆い隠すと共に、壁部のうち前記ベース部の室内側の面に沿う端縁を覆い隠し、壁部と板状部材との隅部を外観美麗なものとすることができる。
【００１０】
請求項３に係る発明は、請求項１又は２記載の見切縁において、前記ベース部には、前記化粧板部と係合したとき、前記係合部と協働して前記化粧板部における連結片と反対側の前記張出し縁部を位置決めする凸部が設けられていることを特徴とする。
【００１１】
請求項３に記載された見切縁によれば、ベース部が化粧板部と係合したとき、凸部と係合部とが協働して化粧板部の張り出し縁部の位置を決める。
【００１２】
請求項４に係る発明は、請求項１〜３のいずれか記載の見切縁において、前記ベース部と前記化粧板部と前記連結片とは、合成樹脂により一体に形成されていることを特徴とする。
【００１３】
請求項４に記載された見切縁によれば、ベース部と化粧板部と連結片とが一体に形成されていることから、ベース部に対し化粧板部を容易に取り付けることができ、この取付け作業をスムースに行うことができる。
【００１４】
請求項５に係る発明は、請求項１〜４のいずれか記載の見切縁において、前記係合部は、前記ベース部と前記化粧板部とのいずれか一方に設けられた溝と、その他方に設けられた突条とからなることを特徴とする。
【００１５】
請求項５に記載された見切縁によれば、ベース部と化粧板部とが容易かつ確実に係合される。
【発明の効果】
【００１６】
請求項１に係る発明によれば、化粧板部が天井及び壁部の両者に対して隙間を覆い隠すことができるように構成したので、天井に隙間が生じることで美観が損なわれるということを解消できる効果が得られる。
【００１７】
請求項２に係る発明によれば、板状部材がベース部に係合することで、ベース部が板状部材により支持されることになり、化粧板部をベース部に係合する際に、ベース部が撓むことが防止され、化粧板部とベース部との係合を容易且つ確実に行うことができ、さらに、化粧板部の張り出し縁部が、天井のうち前記ベース部の室内側の面に沿う端縁を覆い隠すと共に、壁部のうち前記ベース部の室内側の面に沿う端縁を覆い隠し、壁部と板状部材との隅部を外観美麗なものとすることができる。
【００１８】
請求項３に係る発明によれば、ベース部が化粧板部と係合したとき、凸部により、ベース部に対する化粧板部の位置決めを適切に行うことができ、化粧板部が隙間を確実に覆い隠すことができるという効果が得られる。
【００１９】
請求項４に係る発明によれば、ベース部と化粧板部と連結片とが一体に形成されていることから、ベース部に対し化粧板部を容易に取り付けることができ、この取付け作業をスムースに行うことができる。
【００２０】
請求項５に係る発明によれば、ベース部と化粧板部とが容易かつ確実に係合させることができる。
【発明を実施するための最良の形態】
【００２１】
以下、図面を参照し、この発明の実施の形態について説明する。図１から図３はこの発明の一実施の形態に係る見切縁を示す図である。
図１において、符号１０は野縁、１１は壁部、２０はこの発明に係わる見切縁である。
図１に示すように、本実施形態に係る建築構造物は、野縁１０と、壁部１１と、天井から構成されている。
野縁１０の下面にはＭバー１９が設けられており、Ｍバー１９の下面には見切縁２０が取り付けられ、見切縁２０には天井が設けられている。
天井には壁紙１３が設けられると共に、壁部１１には壁紙１４が設けられている。
従って、壁部１１と天井との隅部においてその延在する方向に沿って見切縁２０が設けられる。図１中の符号１７は、野縁１０を吊持して建築構造物の躯体に連設する金具である。
【００２２】
そして、見切縁２０は、合成樹脂等により構成されたものであって、図２に示すように、ベース部２１と、このベース部２１に連結片２３を介して連結された化粧板部２２とを備えて構成されている。
ベース部２１は、図１にて示したＭバー１９に取り付けられる上壁部２１ａと、これに下方に垂下して壁部１１と接する縦壁部２１ｂと、縦壁部２１ｂの下部に上記上壁部２１ａより短い幅で該上壁部２１と平行に延在して設けられた下壁部２１ｃとを有して断面コ字状に形成されている。
この下壁部２１ｃと上壁部２１ａ間には、図１に示す天井を構成する板状部材１６が係合するようになっている。そのため、上壁部２１ａと下壁部２１ｃ間は、板状部材１６を差し込んで係合できるように形成されており、下壁部２１ｃと上壁部２１ａとの間に板状部材１６が差し込まれると、下壁部２１ｃは室内側の面として配置される共に、上壁部２１ａは、板状部材１６の上面側に配置される。
なお、板状部材１６としては、例えば石膏ボードからなっている。
【００２３】
連結片２３は、上下方向に撓むことができるように可撓性を有しており、ベース部２１の下壁部２１ｃの先端（内側）に延在して設けられている。
【００２４】
化粧板部２２とベース部２１とには、互いに係合するように係合部が設けられている。この係合部は、化粧板部２２に設けられた突条２４と、ベース部２１に設けられた溝部２５とから構成されている。
即ち、図２に示すように、化粧板部２２には、上面の鉛直方向の途中位置にベース部２１に向かう突条２４が長さ方向に沿って設けられる一方、ベース部２１の下壁部２１ｃの下面には突条２４と対応する位置に溝２５が設けられ、これら溝２５内に突条２４が図１に示すように差し込まれることで互いに係合し、これによってベース部２１に化粧板２２が一定間隔を隔てて対向するようになっている。
【００２５】
化粧板部２２は、ベース部２１の下壁部２１ｃの先端に連結片２３を介し、適宜の幅をもって延長形成されている。
また、化粧板部２２には、壁部１１側に配置される張出し縁部２６ａと、板状部材１６側に配置される張出し縁部２６ｂとが設けられている。
【００２６】
この場合、ベース部２１と化粧板部２２とは、図３に示すように、互いに係合していない状態では、板状部材１６（天井）のうちベース部２１の室内側の面に沿う端縁を開放すると共に、壁部１１のうちベース部２１の室内側の面に沿う端縁を開放している。
化粧板部２２とベース部２１とが互いに係合した状態では、図１に示すように、化粧板２２の内端側が板状部材１６のベース面に沿う端縁を覆い隠す。
そのため、化粧板部２２は、図１に示すように、ベース２１の下壁部２１ｃの幅より若干幅広の長さに形成されており、張り出す張出し縁部２６ｂが内端部に下壁部２１ｃの内端及び連結片２３を取り囲むように設けられている。
このため、壁紙１３の端部は、化粧板部２２の張出し縁部２６ｂより壁部１１側に位置し、壁紙１３の端部が化粧板部２２内に入り込んでいる。
また、壁紙１４の上端部は、化粧板部２２の張出し縁部２６ａより上方に位置しており、壁紙１４の上端部が化粧板部２２内に入り込んでいる。
すなわち、ベース部２１と化粧板部２２との係合状態においては、壁部側に配置される張出し縁部２６ａが壁紙１４の上端部を覆うと共に壁部１１に押圧固定しており、板状部材１６側に配置される張出し縁部２６ｂが壁紙１３の端部を覆うと共に板状部材１６に押圧固定している。
【００２７】
化粧板部２２とベース部２１との係合状態において、ベース部２１には、その化粧板部２２の自由端を位置決めする凸部２７が設けられている。
凸部２７は、図２に示すように、ベース部２１における下壁部２１ｃの壁部１１寄りの位置に下方に向かって突設され、図１に示すように、化粧板部２２とベース２１とが係合したとき、係合部と協働して、化粧板部２２の張出し縁部２６ａの位置決めするようになっている。
すなわち、張出し縁部２６ａは、凸部２７と係合部とにより傾かないように水平に支持されている。このようなベース部２１と化粧板部２２と連結片２３とは、合成樹脂により互いに一体に形成されている。
【００２８】
この実施形態は、上記のように構成されているので、いま、室内工事のため、野縁１０に対し、Ｍバー１９を介して見切縁２０を設けた後に、見切縁２０のベース部２１の上壁部２１ａと下壁部２１ｃ間に板状部材１６が差し込んで係合されることで取り付けられる。
その後、板状部材１６の下面に壁紙１３が設けられる一方、壁部１１にも壁紙１４が設けられて図３に示すような状態となる。
【００２９】
そして、壁紙１３が板状部材１６に取り付けられたとき、その左側の端縁が見切縁２０の下壁部２１ｃとの境界部分で切断される一方、壁紙１４が壁部１１に取り付けられたとき、その上端縁が見切縁２０の下壁部２１ｃ近傍との境界部分で切断されることとなる。
【００３０】
このように構成された建築構造物においては、躯体の変位により、板状部材１６が見切縁２０から離間する場合がある。
しかしながら、上記の建築構造物においては、板状部材１６が見切縁２０から離間した場合においても、壁紙１３の端部が化粧板部２２内に入り込んでいるため、板状部材１６の表面が露出し難くなっている。
すなわち、板状部材１６の変位量が、壁紙１３の化粧板部２２内への入り込み量よりも小さい場合には、板状部材１６の表面が外面に表れることが防止される。
【００３１】
また、建築構造物の躯体が変位することにより、壁部１１が見切縁２０から離間する場合がある。
しかしながら、上記建築構造物においては、壁部１１が見切縁２０から離間した場合においても、壁紙１４の上端部が化粧板部２２内に入り込んでいるため、壁部１１の表面が外方に露出し難くなっている。
すなわち、壁紙１４の上端部は、化粧板部２２の張出し縁部２６ａより上方に位置しているため、壁部１１の外表面が見難くなっている。
【００３２】
さらに、壁紙１３、１４が板状部材１６及び壁部２２から剥がれることがある。
しかしながら、壁紙１３の端部は、化粧板部２２の張出し縁部２６ｂにより押圧されており、壁紙１４の上端部は、化粧板部２２の張出し部２６ａにより押圧されているため、壁紙１３及び壁紙１４はそれぞれ板状部材１６および壁部１１とから剥がれ難くなっている。
【００３３】
つまり、見切縁２０は、万一、壁紙１３、１４の端縁が接着剤の付着状態によって剥がれることがあっても、下方に垂れ下がるのを抑える機能を果たすこともできる。
【００３４】
しかも、ベース部２１の下壁部２１ｃには、化粧板部２２と係合したとき、その化粧板２２の自由端を位置決めする凸部２７が設けられているので、この凸部２７により、ベース部２１に対して化粧板部２２の位置を確実に位置決めすることができ、張出し縁部２６ａを水平に維持することができる。そのため、化粧板部２２が上記隙間を確実に覆い隠すことができる。
【００３５】
また、見切縁２０のベース部２１と連結片２３と化粧板部２２とが、合成樹脂によって一体に形成されているので、壁紙１３及び１４の取り付け時、ベース部２１に対して化粧板部２２を係合させないでおくと、化粧板部２２が図３に示すように吊持された状態となる。そのため、ベース部２１の下壁部２１ｃとの境界部付近の位置で、壁紙１３の端縁を切断することができる。
そして、壁紙１３及び１４の取り付けが終了したとき、化粧板部２２を、いちいち別の場所から持ち運んできて用意することが不要になり、化粧板２２をその場でベース部２１に簡単に係合させることができる。さらに、見切縁２０は、壁部２２と天井との隅部に配置する際に、板状部材１６と壁部１１との隅部の形状に沿って切断する必要があるが、ベース部２１と化粧板部２２とを係合した状態で切断することにより、容易に隅部の形状に沿った形状に切断することができる。
【００３６】
また、更には上述したように見切縁２０の各構成要素（ベース部２１、化粧板部２２、連結片２３）が一体に形成されていることから、ベース部２１に対し化粧板部２２を容易に取り付けることができ、この取付け作業をスムースに行うことができる。
その上、見切縁２０のベース部２１は、板状部材１６を係合できるようコ字状に形成されているので、上壁部２２ａと下壁部２２ｃとの間に板状部材１６が差し込むことにより、板状部材１６が下壁部２１ｃを支持することになり、化粧板２２をベース部２１に係合する際には、下壁部２２ｃが撓むことが防止され、容易且つ確実に化粧板２２をベース部２１に係合させることができる。
【００３７】
なお、上記実施の形態において、見切縁２０のベース部２１と化粧板部２２とを係合させるため、ベース部２１に溝２５が、化粧板部２２に突条２４が設けられた例を示したが、それらを逆に設けても同様の作用効果を得ることができ、図示実施形態に限定されるものではない。
また、化粧部材２２とベース部２１とは、いずれかの部位で連結されておればよく、上記のようにベース部の先端部と、化粧板部２２の張出し縁部２６ｂとにおいて連結されるものに限られない。
例えば、ベース部２１の下壁部２１ｃと、化粧板部２２の張出し縁部２６ａとが連結片２３により連結されていてもよい。
さらに、壁紙１３、１４は、クロス、布壁紙、紙壁紙、ビニール壁紙等を含むものである。
【図面の簡単な説明】
【００３８】
【図１】この発明の一実施の形態に係る見切縁を適用した室内を示す説明図である。
【図２】同じくこの発明の一実施の形態に係る見切縁を示す拡大図である。
【図３】見切縁のベース部と化粧板部とが係合していない状態を示す説明図である。
【図４】従来の見切縁を使用した状態を示す説明図である。
【図５】従来の見切縁と天井とが壁部から離間した状態を示す説明図である。
【符号の説明】
【００３９】
１１    壁部
１６    板状部材
２０    見切縁
２１    ベース部
２２    化粧板部
２３    連結片
２４    突条
２５    溝
２７    凸部
【図１】
2005273192.tif 000003
【図２】
2005273192.tif 000004
【図３】
2005273192.tif 000005
【図４】
2005273192.tif 000006
【図５】
2005273192.tif 000007